(57)【要約】【課題】簡易な構成により直流電力を外部へ供給可能な分散型電源システムを提供する。【解決手段】分散型電源システムは、直流電力を出力する分散型電源と、分散型電源からの電力を変換して電力系統と連系する電力変換装置と、分散型電源または電力変換装置からの電力を所定電圧の直流電力に変換して分散型電源システムの補機および制御装置に供給する電源装置と、を備える。また、分散型電源システムは、電源装置と補機または制御装置との間に接続される直流給電ポートを備える。【選択図】図１
2020102986.tif 000002
【特許請求の範囲】
【請求項１】
直流電力を出力する分散型電源と、該分散型電源から出力される電力を変換して電力系統と連系する電力変換装置と、前記分散型電源または前記電力変換装置から出力される電力を所定電圧の直流電力に変換して補機および制御装置に供給する電源装置と、を備える分散型電源システムであって、
前記電源装置と前記補機または前記制御装置との間に接続され、直流電力を供給する直流給電ポートを備える、
分散型電源システム。
【請求項２】
請求項１に記載の分散型電源システムであって、
前記分散型電源と前記補機の少なくとも一つと前記電源装置とを収容する筐体を備え、
前記直流給電ポートは、前記筐体に設けられている、
分散型電源システム。
【請求項３】
請求項１または２に記載の分散型電源システムであって、
屋外に設置され、前記分散型電源と前記補機の少なくとも一つと前記電源装置とを収容する筐体と、
屋内に設置され、前記補機の他の一つとして、前記電源装置で変換された所定電圧の直流電力の供給を受けて動作するリモートコントロール装置と、
を備え、
前記直流給電ポートは、前記リモートコントロール装置に設けられている、
分散型電源システム。
【発明の詳細な説明】
【技術分野】
【０００１】
本発明は、分散型電源システムに関する。
【背景技術】
【０００２】
従来、この種の分散型電源システムとしては、燃料電池（直流電源）と、直流端が燃料電池の出力に接続されると共に交流端が商用電力系に接続された双方向直流−交流電力変換装置と、燃料電池の出力と双方向直流−交流変換装置の直流端とに入力が接続された直流電力変換装置と、直流電力変換装置の出力に接続された直流負荷用の直流コンセント群と、を備えるものが提案されている（例えば、特許文献１参照）。この分散型電源システムでは、燃料電池の出力に直流電力変換装置の入力を接続することにより、燃料電池の発電電力を直流コンセント群へ一段の変換装置で効率良く供給することができる、としている。
【先行技術文献】
【特許文献】
【０００３】
【特許文献１】特開２００３−２０４６８２号公報
【発明の概要】
【発明が解決しようとする課題】
【０００４】
しかしながら、上述した分散型電源システムでは、直流コンセント群へ直流電力を供給するために専用の変換装置を用いるものとすると、システムが複雑化すると共にコスト増を招いてしまう。
【０００５】
本発明の分散型電源システムは、簡易な構成により直流電力を外部へ供給可能な分散型電源システムを提供することを主目的とする。
【課題を解決するための手段】
【０００６】
本発明の分散型電源システムは、上述の主目的を達成するために以下の手段を採った。
【０００７】
本発明の分散型電源システムは、
直流電力を出力する分散型電源と、該分散型電源から出力される電力を変換して電力系統と連系する電力変換装置と、前記分散型電源または前記電力変換装置から出力される電力を所定電圧の直流電力に変換して補機および制御装置に供給する電源装置と、を備える分散型電源システムであって、
前記電源装置と前記補機または前記制御装置との間に接続され、直流電力を供給する直流給電ポートを備える、
ことを要旨とする。
【０００８】
この本発明の分散型電源システムは、分散型電源または電力変換装置から出力される電力を所定電圧の直流電力に変換して分散型電源システムの補機および制御装置に供給する電源装置を備える。さらに、分散型電源システムは、電源装置と補機または制御装置との間に接続される直流給電ポートを備える。このため、直流給電ポートに給電するための専用の変換装置を用いる必要がない。この結果、簡易な構成により直流電力を外部へ供給可能な分散型電源システムとすることができる。
【０００９】
こうした本発明の分散型電源システムにおいて、前記分散型電源と前記補機の少なくとも一つと前記電源装置とを収容する筐体を備え、前記直流給電ポートは、前記筐体に設けられているものとしてもよい。こうすれば、筐体に直流給電ポートや配線、電源制御ＩＣを設けばよいから、更に簡易な構成とすることができる。
【００１０】
また、本発明の分散型電源システムにおいて、屋外に設置され、前記分散型電源と前記補機の少なくとも一つと前記電源装置とを収容する筐体と、屋内に設置され、前記補機の他の一つとして、前記電源装置で変換された所定電圧の直流電力の供給を受けて動作するリモートコントロール装置と、を備え、前記直流給電ポートは、前記リモートコントロール装置に設けられているものとしてもよい。屋内に設置されるリモートコントロール装置に直流給電ポートを設けることで、利便性をより高めることができる。
【００１１】
なお、直流給電ポートからの給電は、電力系統の停電時に行なうものとすることができる。こうすれば、災害等による電力系統の停電時に、直流給電ポートから通信機器や携帯バッテリ等を充電することができ、非常用電源としての有用性を高めることができる。
【図面の簡単な説明】
【００１２】
【図１】本発明の一実施形態としての分散型電源システム１０の構成の概略を示す構成図である。
【図２】分散型電源ユニットの筐体１００の外観を示す外観図である。
【図３】リモートコントロール装置５０の構成の概略を示す構成図である。
【図４】変形例の分散型電源システム１１０の構成の概略を示す構成図である。
【発明を実施するための形態】
【００１３】
本発明を実施するための形態について図面を参照しながら説明する。
【００１４】
図１は、本発明の一実施形態としての分散型電源システム１０の構成の概略を示す構成図であり、図２は、分散型電源ユニットの筐体１００の外観を示す外観図であり、図３は、リモートコントロール装置５０の構成の概略を示す構成図である。
【００１５】
実施形態の分散型電源システム１０は、図１に示すように、住宅等の図示しない受電設備に接続され、商用電力系統１と連系して屋内のＡＣコンセント５に接続された電気機器に交流電力（例えばＡＣ１００ＶやＡＣ２００Ｖ等）を供給するものである。
【００１６】
分散型電源システム１０は、本実施形態では、原燃料ガス（例えば天然ガスやＬＰガス）と水とを改質器に供給して水素を含有する改質ガスに改質すると共に改質ガスと酸素を含むエアとを燃料電池に供給して発電する燃料電池システムとして構成される。この分散型電源システム１０は、屋外に設置される燃料電池ユニット１１と、屋内に設置されるリモートコントロール装置５０と、を備える。
【００１７】
燃料電池ユニット１１は、直流電力を発電する燃料電池１２と、燃料電池１２からの直流電力の電圧を変換するＤＣ／ＤＣコンバータ１４と、ＤＣ／ＤＣコンバータ１４からの直流電力を交流電力に変換するインバータ１６と、商用電力系統１と屋内のＡＣコンセント５との間の屋内配線２とインバータ１６の出力端子とを接続する電力ライン１９を継断する解列リレー１８と、電源回路２０と、燃料電池１２の各種補機と、制御装置４０と、通信回路４２と、所定電圧（例えば５Ｖ）の直流電力を供給するＤＣコンセント４５と、を備える。これらは、屋外に設置される筐体１００内に収容されている。
【００１８】
電源回路２０は、燃料電池１２の出力側とＤＣ／ＤＣコンバータ１４の入力側との間に入力側が接続され燃料電池１２からの直流電力の電圧を第１電圧（例えば２４Ｖ）に変換するＤＣ／ＤＣコンバータ２１と、電力ライン１９の解列リレー１８と屋内配線２との間に入力側が接続され交流電力を第１電圧の直流電力に変換するＡＣ／ＤＣコンバータ２２と、ＤＣ／ＤＣコンバータ２１またはＡＣ／ＤＣコンバータ２２からの直流電力の電圧を第２電圧（例えば１５Ｖ）に変換するＤＣ／ＤＣコンバータ２３と、ＤＣ／ＤＣコンバータ２３からの直流電力の電圧を第３電圧（例えば５Ｖ）に変換するＤＣ／ＤＣコンバータ２４と、ＤＣ／ＤＣコンバータ２４からの直流電力の電圧を第４電圧（例えば３．３Ｖ）に変換するＤＣ／ＤＣコンバータ２５と、を備える。この電源回路２０は、燃料電池１２からの直流電力を所望の電圧に変換したり、商用電力系統１からの交流電力を所望の電圧の直流電力に変換したりして、各種補機や制御装置４０の動作に必要な電圧の直流電力を生成する。
【００１９】
燃料電池１２の各種補機としては、例えば、改質器に原燃料ガスを供給する原燃料ガスポンプ，改質器に水を供給する水ポンプおよび燃料電池２２にエアを供給するエアポンプを含むポンプ３１や、原燃料ガスの配管に取り付けられる電磁弁３２、ＤＣ／ＤＣコンバータ１４およびインバータ１６を含むパワーコンディショナや制御装置４０等の冷却を行なう冷却ファン３３、システムの状態に関する各種情報を表示する表示器３４、原燃料ガスの配管に取り付けられる圧力センサ３５、原燃料ガスの配管に取り付けられる流量計およびエアの配管に取り付けられる流量計を含む流量計３６などを挙げることができる。実施形態では、ポンプ３１，電磁弁３２および冷却ファン３３は、ＤＣ／ＤＣコンバータ２１またはＡＣ／ＤＣコンバータ２２からの第１電圧（２４Ｖ）の直流電力の供給を受けて動作する。また、通信回路４２は、ＤＣ／ＤＣコンバータ２３からの第２電圧（１５Ｖ）の直流電力の供給を受けて動作する。さらに、表示器３４および圧力センサ３５は、ＤＣ／ＤＣコンバータ２４からの第３電圧（５Ｖ）の直流電力の供給を受けて動作する。また、流量計３６および制御装置４０は、ＤＣ／ＤＣコンバータ２５からの第４電圧（３．３Ｖ）の直流電力の供給を受けて動作する。
【００２０】
制御装置４０は、図示しないが、ＣＰＵを中心としたマイクロプロセッサとして構成されており、ＣＰＵの他に、処理プログラムを記憶するＲＯＭやワークメモリとして機能するＲＡＭ、入出力ポートおよび通信ポートを備える。
【００２１】
通信回路４２は、リモートコントロール装置５０との通信を司ると共に当該リモートコントロール装置５０にＤＣ／ＤＣコンバータ２３からの第２電圧（１５Ｖ）の直流電力を供給するものである。通信回路４２は、制御装置４０と通信可能に接続されており、制御装置４０からの指令を受けて第２電圧に通信データを重畳することにより、リモートコントロール装置５０に電源を供給しつつ、リモートコントロール装置５０と通信を行なう。
【００２２】
ＤＣ／ＤＣコンバータ２４の出力側とＤＣ／ＤＣコンバータ２５の入力側との間には、ＤＣ出力用電源制御装置４４を介してＤＣコンセント４５が接続されている。ＤＣ出力用電源制御装置４４は、過電流保護や加熱保護等の保護回路を有する電源制御ＩＣである。ＤＣコンセント４５は、ＤＣ／ＤＣコンバータ２４からの第３電圧（５Ｖ）の直流電力を供給するためのコンセントであり、例えば、ＵＳＢポート（Universal Serial Bus）として構成される。ＤＣコンセント４５には、例えば、スマートフォンやタブレット等の通信機器やノートパソコン、携帯バッテリ、充電式乾電池、照明装置（ＬＥＤ）、ワイヤレス受電器を搭載する機器へ給電するワイヤレス給電器等を接続することができる。このＤＣコンセント４５は、補機（表示器３４や圧力センサ３５）に給電するためのＤＣ／ＤＣコンバータ２４の出力側に接続されているから、第３電圧の直流電力を外部へ給電するために専用の電源回路（ＤＣ／ＤＣコンバータ）を必要としない。これにより、システム全体を簡素にしつつ、直流電力による給電を行なうことが可能となる。特に、災害などにより電力系統１が停電したときに、燃料電池２２で発電した電力を用いてＤＣコンセント４５から第３電圧の直流電力を供給するようにすれば、非常用電源としての有用性を高めることができる。勿論、電力系統１の停電の有無に拘わらず、ＤＣコンセント４５からの直流電力の供給を常時行なうようにしてもよい。
【００２３】
ＤＣコンセント４５は、燃料電池ユニット１１の筐体１００の内部に設けられている。本実施形態では、ＤＣコンセント４５は、図２に示すように、筐体１００の側面下部に設けられた小口の開口部１００ａ付近に位置するように設けられている。開口部１００ａ付近には、原燃料ガスのガス配管の接続口１２ａが配置されており、開口部１００ａは、ねじ等により着脱可能に取り付けられる側面パネル１０１により覆われている。ガス配管の接続口１２ａに原燃料ガスを供給するガス供給管の接続口を接続する場合、側面パネル１０１を取り外し、ガス供給管の接続口をガス配管の接続口１２ａに接続し、側面パネル１０１の凹状の開口部１０１ａにガス供給管を通すようにして側面パネル１０１を筐体１０の開口部１００ａに取り付ける。これにより、筐体１００が屋外に設置される場合でも、ＤＣコンセント４５に雨水等の水が浸入するのを防止することができる。また、１枚の側面パネル１０１を取り外すだけでＤＣコンセント４５を外部に露出させることができるため、ＤＣコンセント４５へのアクセスを容易にすることができる。さらに、分散型電源システム１０をメンテナンスする際に、ＤＣコンセント４５を、作業者が携帯するタブレットなどの機器の電源として利用することもできる。
【００２４】
リモートコントロール装置５０は、図３に示すように、通信回路４２と電気的に接続された通信回路７２と、通信回路７２が受電した第２電圧（１５Ｖ）の直流電力を第５電圧（例えば５Ｖ）に変換するＤＣ／ＤＣコンバータ５２と、ＤＣ／ＤＣコンバータ５２からの直流電力を第６電圧（例えば３．３Ｖ）に変換するＤＣ／ＤＣコンバータ５４と、制御装置７０と、所定電圧（例えば５Ｖ）の直流電力を供給するＤＣコンセント７５と、を備える。
【００２５】
リモートコントロール装置５０は、更に燃料電池２２の運転状態や設定情報、エラー情報を表示する表示パネル６１や、燃料電池２２の起動や停止を指示したり燃料電池２２の運転モードを設定したりするための操作スイッチ６２なども備える。表示パネル６１および操作スイッチ６２は、ＤＣ／ＤＣコンバータ５２からの第５電圧（５Ｖ）の直流電力の供給を受けて動作する。また、制御装置７０は、ＤＣ／ＤＣコンバータ５４からの第６電圧（３．３Ｖ）の供給を受けて動作する。制御装置７０は、図示しないが、制御装置４０と同様にＣＰＵを中心としたマイクロプロセッサとして構成されている。通信回路７２は、屋外の燃料電池ユニット１１の通信回路４２との通信を司ると共に、燃料電池ユニット１１のＤＣ／ＤＣコンバータ２３から通信回路４２を介して供給される第２電圧の直流電力を各部へ供給するものである。通信回路７２は、制御装置７０と通信可能に接続されており、制御装置７０からの指令を受けて第２電圧に通信データを重畳することにより、通信回路４２と通信を行なう。
【００２６】
ＤＣ／ＤＣコンバータ５２の出力側とＤＣ／ＤＣコンバータ５４の入力側との間には、ＤＣ出力用電源制御装置７４（電源制御ＩＣ）を介してＤＣコンセント７５が接続されている。ＤＣコンセント７５は、ＤＣコンセント４５と同様にＤＣ／ＤＣコンバータ５２からの第５電圧（５Ｖ）の直流電力を供給するためのコンセントであり、例えば、ＵＳＢポートとして構成される。このＤＣコンセント７５は、分散型電源システム１０の補機（リモートコントロール装置５０の表示パネル６１や操作スイッチ６２）に給電するためのＤＣ／ＤＣコンバータ５２の出力側に接続されているから、第５電圧の直流電力を外部へ給電するために専用の電源回路（ＤＣ／ＤＣコンバータ）を必要としない。これにより、システム全体を簡素にしつつ、直流電力による給電を行なうことができる。また、ＤＣコンセント７５は、屋内に設置されるリモートコントロール装置５０に設けられるため、特に利便性が高い。
【００２７】
以上説明した実施形態の分散型電源システム１０では、分散型電源システム１０の補機に所定電圧（５Ｖ）の直流電力を供給するＤＣ／ＤＣコンバータ２４，５２の出力側にＤＣ出力用電源制御装置４４，７４を介して接続されたＤＣコンセント４５，７５を備える。これにより、分散型電源システム１０の補機に直流電力を供給する変換装置を用いてＤＣコンセント４５，７５に給電できるため、ＤＣコンセント４５，７５に給電するための専用の変換装置を必要としない。この結果、簡易な構成により直流電力を外部へ供給可能な分散型電源システムとすることができる。
【００２８】
また、実施形態の分散型電源システム１０では、ＤＣコンセント４５を、分散型電源システム１０の筐体１００に設けるため、更に簡易な構成とすることができる。
【００２９】
さらに、実施形態の分散型電源システム１０では、ＤＣコンセント７５を、屋内に設置されるリモートコントロール装置５０に設けるため、利便性をより高めることができる。
【００３０】
実施形態では、燃料電池ユニット１１内に設けられた通信回路４２とリモートコントロール装置５０の通信回路７２とを電気的に接続して共通のラインを用いてリモートコントロール装置５０への給電と通信とを行なうものとしたが、給電ラインと通信ラインとを別々に設けるものとしてもよい。また、通信回路４２を、燃料電池ユニット１１とは別のユニット（例えば、燃料電池１２の排熱により加温した貯湯水を用いて給湯する給湯ユニット）に搭載し、燃料電池ユニット１１とリモートコントロール装置５０との間の給電と通信とを当該別のユニットを介して行なうようにしてもよい。
【００３１】
実施形態では、制御装置４０は、ＤＣ／ＤＣコンバータ２５からの第４電圧（３．３Ｖ）の直流電力の供給を受けて動作するものとしたが、ＤＣ／ＤＣコンバータ２４からの第３電圧（５Ｖ）の直流電力の供給を受けて動作するものとしてもよい。同様に、制御装置７０は、ＤＣ／ＤＣコンバータ５４からの第６電圧（３．３Ｖ）の直流電力の供給を受けて動作するものとしたが、ＤＣ／ＤＣコンバータ５２からの第５電圧（５Ｖ）の直流電力の供給を受けて動作するものとしてもよい。
【００３２】
実施形態では、ＤＣ／ＤＣコンバータ２１は、入力側が燃料電池１２の出力側とＤＣ／ＤＣコンバータ１４の入力側との間に接続されるものとしたが、入力側がＤＣ／ＤＣコンバータ１４の出力側とインバータ１６の入力側との間に接続されるものとしてもよい。
【００３３】
実施形態では、ＤＣコンセントを、屋外に設置される筐体１００と屋内に設置されるリモートコントロール装置５０とにそれぞれ設けるものとしたが、いずれか一方にのみ設けるものとしてもよい。
【００３４】
実施形態では、分散型電源システム１０を、燃料電池２２を備えるシステムに適用するものとしたが、これに限定されるものではなく、蓄電池を備えるシステムに適用するものとしてもよいし、太陽光電池を備えるシステムに適用するものとしてもよい。即ち、商用電力系統１と連系可能な分散型電源を備えるシステムであれば、如何なるシステムに適用するものとしてもよい。
【００３５】
以下、分散型電源システムを、蓄電池を備えるシステムに適用した例について説明する。図４は、変形例の分散型電源システム１１０の構成の概略を示す構成図である。変形例の分散型電源システム１１０は、屋外に設置される蓄電池ユニット１１１と、屋内に設置されるリモートコントロール装置１５０と、を備える。蓄電池ユニット１１１は、図４に示すように、蓄電池１１２と、蓄電池１１２からの直流電力の電圧を変換するＤＣ／ＤＣコンバータ１１４と、ＤＣ／ＤＣコンバータ１１４からの直流電力を交流電力に変換するインバータ１１６と、商用電力系統１と屋内のＡＣコンセント５との間の屋内配線２とインバータ１１６の出力端子とを接続する電力ライン１１９に設けられた解列リレー１１８と、電源回路１２０と、蓄電池１１２の各種補機と、制御装置１４０と、通信回路１４２と、所定電圧（例えば５Ｖ）の直流電力を供給するＤＣコンセント１４５と、を備える。これらは、屋外に設置される図示しない筐体に収容されている。なお、リモートコントロール装置１５０は、実施形態のリモートコントロール装置５０と同様の構成を用いることができるから、説明を省略する。
【００３６】
電源回路１２０は、蓄電池１１２の出力側とＤＣ／ＤＣコンバータ１１４の入力側との間に入力側が接続され蓄電池１１２からの直流電力の電圧を第１電圧（例えば２４Ｖ）に変換するＤＣ／ＤＣコンバータ１２１と、ＤＣ／ＤＣコンバータ１２１からの直流電力の電圧を第２電圧（例えば１５Ｖ）に変換するＤＣ／ＤＣコンバータ１２３と、ＤＣ／ＤＣコンバータ１２３からの直流電力の電圧を第３電圧（例えば５Ｖ）に変換するＤＣ／ＤＣコンバータ１２４と、ＤＣ／ＤＣコンバータ１２４からの直流電力の電圧を第４電圧（例えば３．３Ｖ）に変換するＤＣ／ＤＣコンバータ１２５と、を備える。この電源回路１２０は、蓄電池１１２からの直流電力を所望の電圧に変換して各種補機や制御装置１４０、リモートコントロール装置１５０の動作に必要な電圧の直流電力を生成する。なお、ＤＣ／ＤＣコンバータ１２１は、入力側がＤＣ／ＤＣコンバータ１１４の出力側とインバータ１１６の入力側との間に接続されるものとしてもよい。
【００３７】
蓄電池１１２の各種補機としては、例えば、蓄電池１１２を冷却するための冷却ファン１３１や、システムの状態に関する各種情報を表示する表示器１３２、蓄電池１１２の温度を検出する温度センサ１３３などを挙げることができる。実施形態では、冷却ファン１３１は、ＤＣ／ＤＣコンバータ１２１からの第１電圧（２４Ｖ）の直流電力の供給を受けて動作する。また、通信回路１４２は、ＤＣ／ＤＣコンバータ１２３からの第２電圧（１５Ｖ）の直流電力の供給を受けて動作する。さらに、表示器１３２および制御装置１４０は、ＤＣ／ＤＣコンバータ１２４からの第３電圧（５Ｖ）の直流電力の供給を受けて動作する。また、温度センサ１３３は、ＤＣ／ＤＣコンバータ１２５からの第４電圧（３．３Ｖ）の直流電力の供給を受けて動作する。制御装置１４０と通信回路１４２は、実施形態の制御装置４０と通信回路４２と同様の構成を用いることができるから、説明を省略する。
【００３８】
ＤＣ／ＤＣコンバータ１２４の出力側とＤＣ／ＤＣコンバータ１２５の入力側との間には、ＤＣ出力用電源制御装置１４４（電源制御ＩＣ）を介してＤＣコンセント１４５が接続されている。ＤＣコンセント１４５は、実施形態のＤＣコンセント４５と同様に、ＤＣ／ＤＣコンバータ１２４からの第３電圧（５Ｖ）の直流電力を供給するためのポートであり、例えば、ＵＳＢポート（Universal Serial Bus）として構成される。このＤＣコンセント１４５は、図示しないが、実施形態と同様に、蓄電池ユニット１１１の筐体内に設けることができる。また、リモートコントロール装置１５０に、ＤＣコンセントを設けることもできる。これにより、変形例の分散型電源システム１１０においても、実施形態の分散型電源システム１０と同様の効果、すなわち、簡易な構成により直流電力を外部へ供給可能な分散型電源システムとすることができる効果を奏することができる。
【００３９】
実施形態の主要な要素と課題を解決するための手段の欄に記載した発明の主要な要素との対応関係について説明する。実施形態では、燃料電池１２や蓄電池１１２が「直流電源」に相当し、ＤＣ／ＤＣコンバータ１４，１１４やインバータ１６，１１６が「電力変換装置」に相当し、電源回路２０，１２０が「電源装置」に相当し、表示器３４，１３２や圧力センサ３５が「補機」に相当し、制御装置４０，１４０が「制御装置」に相当し、ＤＣコンセント４５，７５，１４５が「直流給電ポート」に相当する。また、筐体１００が「筐体」に相当する。また、リモートコントロール装置５０，１５０が「リモートコントロール装置」に相当する。
【００４０】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００４１】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００４２】
本発明は、分散型電源システムの製造産業などに利用可能である。
【符号の説明】
【００４３】
１  商用電力系統、２  屋内配線、５  ＡＣコンセント、１０，１１０  分散型電源システム、１１  燃料電池ユニット、１２  燃料電池、１２ａ  接続口、１４，１１４  ＤＣ／ＤＣコンバータ、１６，１１６  インバータ、１８，１１８  解列リレー、１９，１１９  電力ライン、２０，１２０  電源回路、２１，２３，２４，２５，１２１，１２３，１２４，１２５  ＤＣ／ＤＣコンバータ、２２  ＡＣ／ＤＣコンバータ、３１  ポンプ、３２  電磁弁、３３  冷却ファン、３４  表示器、３５  圧力センサ、３６  流量計、４０  制御装置、４２  通信回路、４４，１４４  ＤＣ出力用電源制御装置、４５，１４５  ＤＣコンセント、５０，１５０  リモートコントロール装置、５２，５４  ＤＣ／ＤＣコンバータ、６１  表示パネル、６２  操作スイッチ、７２  通信回路、７４  ＤＣ出力用電源制御装置、７５  ＤＣコンセント、１００  筐体、１００ａ  開口部、１０１  側面パネル、１０１ａ  開口部、１３１  冷却ファン、１３２  表示器、１３３  温度センサ。
【図１】
2020102986.tif 000003
【図２】
2020102986.tif 000004
【図３】
2020102986.tif 000005
【図４】
2020102986.tif 000006